(57)【要約】  【課題】  基地局通信装置から移動局通信装置に対する送信問い合わせ要求の送信を適切に行い、移動局通信装置から基地局通信装置へのデータ転送効率を向上させる。  【解決手段】  ＴＣＰ／ＩＰ通信等を行う上位のアプリケーション層のアプリケーション部１１１、１１２と、ＤＲＳＣによる無線通信を行う下位の通信層の通信処理部３１との同期をとるために、中間のアダプティブレイヤ層としてデータ処理部２１を設ける。    データ処理部２１の送信問い合わせ処理部２１２は、上位層のアプリケーション部１１１、１１２からの送信データの有無、通信相手の移動局通信装置からのデータの有無、送信データが転送される頻度などに応じて、内蔵する待ち合わせタイマに待ち合わせ時間を設定し、移動局通信装置に対して送信する送信問い合わせ要求の送信間隔を調整する。【選択図】  図３
2005176227.tif 000002
【特許請求の範囲】
【請求項１】
狭域通信による無線通信を行う通信層の上位層で他方式の通信を行うアプリケーション層を有し、前記アプリケーション層から前記通信層を介して移動局通信装置との間でデータの送受信を行う通信システムの基地局通信装置であって、
前記移動局通信装置に対して送信データの有無を問い合わせるための送信問い合わせ要求を生成する送信問い合わせ処理手段と、
前記アプリケーション層との間のデータの送受信、及び前記移動局通信装置との間のデータの送受信を行う送受信手段とを備え、
前記送信問い合わせ処理手段は、前記送信問い合わせ要求の送信間隔を可変的に設定する基地局通信装置。
【請求項２】
請求項１に記載の基地局通信装置であって、
前記送信問い合わせ処理手段は、前記送受信手段において送受信するデータの有無に応じて、前記送信問い合わせ要求の送信間隔を設定する基地局通信装置。
【請求項３】
請求項２に記載の基地局通信装置であって、
前記送信問い合わせ処理手段は、前記アプリケーション層から前記移動局通信装置への送信データの有無と、前記送信問い合わせ要求に対応する前記移動局通信装置からの送信問い合わせ応答に付随するデータの有無との少なくとも一方に応じて、前記送信問い合わせ要求の送信間隔を設定する基地局通信装置。
【請求項４】
請求項３に記載の基地局通信装置であって、
前記送信問い合わせ処理手段は、前記送受信手段において前記送信問い合わせ応答としてデータが付随していない送信問い合わせ応答を受信したときに、次に送信する前記送信問い合わせ要求の送信間隔を長くする基地局通信装置。
【請求項５】
請求項３に記載の基地局通信装置であって、
前記送信問い合わせ処理手段は、前記送受信手段において前記送信問い合わせ応答としてデータが付随していない送信問い合わせ応答を連続して受信した場合に、段階的に前記送信問い合わせ要求の送信間隔を長くする基地局通信装置。
【請求項６】
請求項３に記載の基地局通信装置であって、
前記送信問い合わせ処理手段は、前記送受信手段において前記送信問い合わせ応答としてデータが付随した送信問い合わせ応答を受信したときに、次に送信する前記送信問い合わせ要求の送信間隔を短くする基地局通信装置。
【請求項７】
請求項３に記載の基地局通信装置であって、
前記送信問い合わせ処理手段は、前記送受信手段において前記アプリケーション層から前記移動局通信装置への送信データを受信したときに、直ちにこの送信データを前記送信問い合わせ要求に付加して送信する基地局通信装置。
【請求項８】
請求項３に記載の基地局通信装置であって、
前記送信問い合わせ処理手段は、前記送受信手段において前記アプリケーション層から前記移動局通信装置への送信データを受信したときに、次に送信する前記送信問い合わせ要求の送信間隔を短くする基地局通信装置。
【請求項９】
請求項３に記載の基地局通信装置であって、
前記送信問い合わせ処理手段は、前記送受信手段において前記アプリケーション層から前記移動局通信装置への送信データを受信せずに、前記設定した送信問い合わせ要求の送信間隔の時間が経過したときに、送信データが付随していない送信問い合わせ要求を送信する基地局通信装置。
【請求項１０】
狭域通信による無線通信を行う通信層の上位層で他方式の通信を行うアプリケーション層を有し、前記アプリケーション層から前記通信層を介して移動局通信装置との間でデータの送受信を行う通信システムの基地局通信装置における通信方法であって、
前記移動局通信装置に対して送信データの有無を問い合わせるための送信問い合わせ要求を送信するステップと、
前記送信問い合わせ要求に対応する前記移動局通信装置からの送信問い合わせ応答を受信するステップと、
前記受信した送信問い合わせ応答にデータが付随しているか否かを判定するステップと、
前記送信問い合わせ応答に付随するデータの有無に応じて、前記送信問い合わせ要求の送信間隔を可変的に設定するステップと
を有する通信方法。
【請求項１１】
請求項１０に記載の通信方法であって、さらに、
前記アプリケーション層から前記移動局通信装置へ送信するデータを受信したか否かを判定するステップと、
前記移動局通信装置へ送信するデータを受信したときに、この送信データを前記送信問い合わせ要求に付加して送信するステップと
を有する通信方法。
【発明の詳細な説明】
【技術分野】
【０００１】
本発明は、狭域通信による無線通信を用いてデータの送受信を行う基地局通信装置及び通信方法に関する。
【背景技術】
【０００２】
狭域通信（ＤＳＲＣ：Dedicated Short Range Communication）による無線通信システムは、有料道路の自動料金収受システム（ＥＴＣ：Electronic Tool Collection system）等として実用化されている。近年、自動車等の車両や車両交通システムにおける情報化の進展と共に、狭域通信を用いて様々なサービスを行うことが考えられ、例えばインターネット等にも利用されているＩＰネットワークに接続した路側装置等の基地局通信装置を介して、道路を走行する車両に搭載された車載器等の移動局通信装置と、ＩＰネットワークに接続されたサーバ装置やシステム等との間でデータ交換を行う通信システムが検討されている。狭域通信を用いた通信システムとして、交通情報システムにおいて旅行情報サービスを提供するもの（特許文献１）や、地理情報サービスを提供するもの（特許文献２）などが提案されている。
【０００３】
ＤＳＲＣを通信システム階層の下位層に相当する通信層に用い、上位層に相当するアプリケーション層にＴＣＰ／ＩＰ通信を用いた通信システムを構成する場合、これらの異なる通信方式であるＤＳＲＣとＴＣＰ／ＩＰ通信との間で同期をとり、データ通信の橋渡しをするために、中間にアダプティブレイヤ層を設ける必要がある。ＤＳＲＣ上でのデータ通信に用いるアダプティブレイヤ層として、ＡＲＩＢ  ＴＲ−Ｔ１７  １．０版において、アプリケーションサブレイヤ（ＡＳＬ）の標準仕様の策定がなされている（非特許文献１）。
【０００４】
ＤＳＲＣにおいて双方向通信を行う場合、基地局通信装置から見たアップリンクとダウンリンクに異なる周波数のチャネルを用い、それぞれのチャネルの通信フレームを複数のスロットに時分割した同期式時分割通信によってデータの送受信を行うことになる。また、基地局通信装置と移動局通信装置との間の処理シーケンスは予め決まっていて、すべての処理シーケンスが基地局通信装置の主導のもとに実行される。基地局通信装置は、移動局通信装置に対して送信問い合わせメッセージ（以下、送信問い合わせ要求という）を送信し、この送信問い合わせ要求を受信した移動局通信装置は、基地局通信装置に対して応答メッセージ（以下、送信問い合わせ応答という）を送信する。このとき、基地局通信装置は、送信問い合わせ要求に対する応答の有無によって、通信エリア内に通信可能な移動局通信装置があるかどうかを確認するヘルスチェックを行っている。
【０００５】
双方向通信において、基地局通信装置は、移動局通信装置に対して自由にデータを送信することが可能である。一方、移動局通信装置は、自装置に割り当てられたスロットでのみデータの送受信が可能となっている。また、移動局通信装置から基地局通信装置へデータを送信する場合、基地局通信装置からの送信問い合わせ要求を受信して送信問い合わせ応答を送信するタイミングにおいてのみ、この送信問い合わせ応答に付加して行うことができる。基地局通信装置からの送信問い合わせ要求、及び移動局通信装置からの送信問い合わせ応答は、それぞれ通常のデータ送信と同一のチャネルで行われる。
【０００６】
通常、ＴＣＰ／ＩＰ通信では、ＴＣＰのスライディングウィンドウ方式やスロースタート機能を使用することが多い。スライディングウィンドウ方式は、送信側が受信側からのＡＣＫ信号（ＴＣＰ−ＡＣＫ）を待たずに、データを先送りする機能である。例えば、送信側が４つのウィンドウサイズを持っている場合、ネットワーク上に４パケットのデータをＡＣＫ信号（ＴＣＰ−ＡＣＫ）を待たずに送信できる。また、ＡＣＫ信号（ＴＣＰ−ＡＣＫ）の送信は１パケット毎に行うのではなく、まとめて送り返す、例えば２パケット毎に行うことができ、応答のパケット量を減らすことによりデータの転送効率を向上させることができる。スロースタート機能は、送信側がもつウィンドウサイズを通信の開始と共に徐々に増加させる機能である。
【０００７】
前述のようなＤＳＲＣによる通信層の上位のアプリケーション層においてＴＣＰ／ＩＰ通信を行うようにした場合、移動局通信装置から基地局通信装置へデータを送信する際には、基地局通信装置からの送信問い合わせ要求に対する送信問い合わせ応答に付加して行うことしかできないため、送信問い合わせ要求の送信タイミングが適切でないと、データ転送効率が悪くなり、データ送信時のスループットが低下するおそれがある。
【０００８】
例えば、基地局通信装置から移動局通信装置に対する送信問い合わせ要求の送信間隔を一定間隔とする方法が現在提案されている。この方法では、下位の通信層におけるＤＳＲＣと上位のアプリケーション層におけるＴＣＰ／ＩＰ通信とで同期がうまくとれない場合があり、不要な送信問い合わせ要求及び送信問い合わせ応答が多くなってデータ転送効率が悪化してしまう。特に、送信するデータ量の増減などの通信条件の変化や、通信エリア内の移動局通信装置の数の増減などの通信環境の変化に対して、適切に対応することができない。さらに、アプリケーション層においてＴＣＰ／ＩＰ通信だけでなく、トランザクション型の非ＩＰ通信を行うことを想定した場合、これらの異なる上位層の通信方式に対して、送信問い合わせ要求の送信間隔を一定にすると、適切なタイミングで効率良くデータの送受信を行うことは困難である。
【０００９】
また、前述したように、送信問い合わせ要求はヘルスチェックの機能を有しているので、移動局通信装置から基地局通信装置に対して送信するデータが無い場合であっても、基地局通信装置から移動局通信装置へ送信問い合わせ要求を送信し、これに対応する送信問い合わせ応答においてデータが無い旨の情報を移動局通信装置から基地局通信装置へ返信する必要がある。このため、通信エリア内に移動局通信装置が複数存在する場合などに、データ送信を行っていない移動局通信装置からの送信問い合わせ応答によって、送信データが含まれない無駄なスロットが多くなり、実際にデータ送受信を行っている移動局通信装置の通信帯域が減少し、データ転送効率が低下してしまうことがある。
【００１０】
【特許文献１】特開２００２−１９７５９１号公報
【特許文献２】特開２００２−２１６２９２号公報
【非特許文献１】「挟域通信（ＤＳＲＣ）アプリケーションサブレイヤ標準仕様及びそれを用いた陸上移動局の接続性に係る試験項目・試験条件」第１．０版、社団法人  電波産業会、２００３年１０月２６日、Ｐ．４５−４６
【発明の開示】
【発明が解決しようとする課題】
【００１１】
本発明は、上記事情に鑑みてなされたもので、基地局通信装置からの送信問い合わせ要求に対する送信問い合わせ応答にデータを付加する形で移動局通信装置から基地局通信装置へのデータ送信を行う通信システムにおいて、基地局通信装置から移動局通信装置に対する送信問い合わせ要求の送信を適切に行い、移動局通信装置から基地局通信装置へのデータ転送効率を向上させることが可能な基地局通信装置及び通信方法を提供することを目的とする。
【課題を解決するための手段】
【００１２】
本発明の基地局通信装置は、狭域通信による無線通信を行う通信層の上位層で他方式の通信を行うアプリケーション層を有し、前記アプリケーション層から前記通信層を介して移動局通信装置との間でデータの送受信を行う通信システムの基地局通信装置であって、前記移動局通信装置に対して送信データの有無を問い合わせるための送信問い合わせ要求を生成する送信問い合わせ処理手段と、前記アプリケーション層との間のデータの送受信、及び前記移動局通信装置との間のデータの送受信を行う送受信手段とを備え、前記送信問い合わせ処理手段は、前記送信問い合わせ要求の送信間隔を可変的に設定するものである。
【００１３】
この構成により、基地局通信装置からの送信問い合わせ要求に対する送信問い合わせ応答にデータを付加する形で移動局通信装置から基地局通信装置へのデータ送信を行う通信システムにおいて、基地局通信装置から移動局通信装置に対する送信問い合わせ要求の送信を適切に行い、移動局通信装置から基地局通信装置へのデータ転送効率を向上させることが可能となる。
【００１４】
また、本発明の一態様として、上記の基地局通信装置であって、前記送信問い合わせ処理手段は、前記送受信手段において送受信するデータの有無に応じて、前記送信問い合わせ要求の送信間隔を設定するものも含まれる。
【００１５】
この構成により、基地局通信装置から移動局通信装置に対する送信問い合わせ要求の送信間隔を送受信するデータの有無に応じて適切に設定可能となり、不要な送信問い合わせ要求の送信を抑制できる。
【００１６】
また、本発明の一態様として、上記の基地局通信装置であって、前記送信問い合わせ処理手段は、前記アプリケーション層から前記移動局通信装置への送信データの有無と、前記送信問い合わせ要求に対応する前記移動局通信装置からの送信問い合わせ応答に付随するデータの有無との少なくとも一方に応じて、前記送信問い合わせ要求の送信間隔を設定するものも含まれる。
【００１７】
この構成により、基地局通信装置から移動局通信装置に対する送信問い合わせ要求の送信間隔を、上位のアプリケーション層から転送される前記移動局通信装置への送信データの有無と、前記送信問い合わせ要求に対応する前記移動局通信装置からの送信問い合わせ応答に付随するデータの有無との少なくとも一方に応じて、適切に設定することができ、不要な送信問い合わせ要求の送信を抑制できる。
【００１８】
また、本発明の一態様として、上記の基地局通信装置であって、前記送信問い合わせ処理手段は、前記送受信手段において前記送信問い合わせ応答としてデータが付随していない送信問い合わせ応答を受信したときに、次に送信する前記送信問い合わせ要求の送信間隔を長くするものも含まれる。
【００１９】
この構成により、移動局通信装置からデータが送られてこない場合に送信問い合わせ要求の送信間隔を長くすることによって、不要な送信問い合わせ要求の送信を抑制でき、データ転送効率を向上させることが可能となる。このため、データの送受信を行っていない移動局通信装置が占有する通信帯域を抑制し、他の移動局通信装置で使用可能な通信帯域を広げることができ、データ転送効率の向上を図れる。
【００２０】
また、本発明の一態様として、上記の基地局通信装置であって、前記送信問い合わせ処理手段は、前記送受信手段において前記送信問い合わせ応答としてデータが付随していない送信問い合わせ応答を連続して受信した場合に、段階的に前記送信問い合わせ要求の送信間隔を長くするものも含まれる。
【００２１】
この構成により、移動局通信装置からデータが付随していない送信問い合わせ応答を続けて受信した場合に、例えば所定数のデータ無しの送信問い合わせ応答を受信する度に段階的に送信問い合わせ要求の送信間隔を長くすることによって、不要な送信問い合わせ要求の送信を抑制できる。このため、データの送受信を行っていない移動局通信装置が占有する通信帯域を抑制し、他の移動局通信装置で使用可能な通信帯域を広げることができ、データ転送効率の向上を図れる。
【００２２】
また、本発明の一態様として、上記の基地局通信装置であって、前記送信問い合わせ処理手段は、前記送受信手段において前記送信問い合わせ応答としてデータが付随した送信問い合わせ応答を受信したときに、次に送信する前記送信問い合わせ要求の送信間隔を短くするものも含まれる。
【００２３】
この構成により、移動局通信装置からデータが送られてきた場合に送信問い合わせ要求の送信間隔を短くすることによって、移動局通信装置より多くのデータを送信したい場合などに、速やかに次のデータを送信できるようになり、データ転送効率を向上させることができる。
【００２４】
また、本発明の一態様として、上記の基地局通信装置であって、前記送信問い合わせ処理手段は、前記送受信手段において前記アプリケーション層から前記移動局通信装置への送信データを受信したときに、直ちにこの送信データを前記送信問い合わせ要求に付加して送信するものも含まれる。
【００２５】
この構成により、移動局通信装置への送信データが上位層から転送されてきたときに、適切なタイミングで送信問い合わせ要求とともにこのデータを送信することができ、データ転送効率を向上させることが可能となる。
【００２６】
また、本発明の一態様として、上記の基地局通信装置であって、前記送信問い合わせ処理手段は、前記送受信手段において前記アプリケーション層から前記移動局通信装置への送信データを受信したときに、次に送信する前記送信問い合わせ要求の送信間隔を短くするものも含まれる。
【００２７】
この構成により、移動局通信装置への送信データが上位層から転送されてきたときは、このデータを移動局通信装置へ送信した後に対応するデータが移動局通信装置から基地局通信装置へ送信される可能性があるため、送信問い合わせ要求の送信間隔を短くすることによって、速やかにデータを送信できるようになり、データ転送効率を向上させることができる。
【００２８】
また、本発明の一態様として、上記の基地局通信装置であって、前記送信問い合わせ処理手段は、前記送受信手段において前記アプリケーション層から前記移動局通信装置への送信データを受信せずに、前記設定した送信問い合わせ要求の送信間隔の時間が経過したときに、送信データが付随していない送信問い合わせ要求を送信するものも含まれる。
【００２９】
この構成により、設定した送信間隔ごとに移動局通信装置へ送信問い合わせ要求を送信し、移動局通信装置からの送信データの有無の確認、及び通信エリア内の移動局通信装置の存在の把握を行うことが可能となる。
【００３０】
本発明の通信方法は、狭域通信による無線通信を行う通信層の上位層で他方式の通信を行うアプリケーション層を有し、前記アプリケーション層から前記通信層を介して移動局通信装置との間でデータの送受信を行う通信システムの基地局通信装置における通信方法であって、前記移動局通信装置に対して送信データの有無を問い合わせるための送信問い合わせ要求を送信するステップと、前記送信問い合わせ要求に対応する前記移動局通信装置からの送信問い合わせ応答を受信するステップと、前記受信した送信問い合わせ応答にデータが付随しているか否かを判定するステップと、前記送信問い合わせ応答に付随するデータの有無に応じて、前記送信問い合わせ要求の送信間隔を可変的に設定するステップとを有するものである。
【００３１】
この手順により、基地局通信装置から移動局通信装置に対する送信問い合わせ要求の送信間隔を、移動局通信装置からの送信問い合わせ応答に付随するデータの有無に応じて、適切に設定可能となり、不要な送信問い合わせ要求の送信を抑制でき、移動局通信装置から基地局通信装置へのデータ転送効率を向上させることが可能となる。
【００３２】
また、本発明の一態様として、上記の通信方法であって、さらに、前記アプリケーション層から前記移動局通信装置へ送信するデータを受信したか否かを判定するステップと、前記移動局通信装置へ送信するデータを受信したときに、この送信データを前記送信問い合わせ要求に付加して送信するステップとを有するものも含まれる。
【００３３】
この手順により、移動局通信装置への送信データが上位層から転送されてきたときに、適切なタイミングで送信問い合わせ要求とともにこのデータを送信することができ、データ転送効率を向上させることが可能となる。
【発明の効果】
【００３４】
本発明によれば、基地局通信装置からの送信問い合わせ要求に対する送信問い合わせ応答にデータを付加する形で移動局通信装置から基地局通信装置へのデータ送信を行う通信システムにおいて、基地局通信装置から移動局通信装置に対する送信問い合わせ要求の送信を適切に行い、移動局通信装置から基地局通信装置へのデータ転送効率を向上させることが可能な基地局通信装置及び通信方法を提供できる。
【発明を実施するための最良の形態】
【００３５】
本実施形態では、狭域通信（ＤＳＲＣ）による無線通信を用いた通信システムとして、上位のアプリケーション層においてＴＣＰ／ＩＰ通信を行う通信システムを例示する。まず、本実施形態の通信システムの概要を説明する。
【００３６】
図１は本発明の実施形態に係る通信システムの概略構成を示す図である。本実施形態の通信システムは、ＤＳＲＣによって双方向通信を行う、基地局通信装置１及び一ないし複数の移動局通信装置２を有している。基地局通信装置１及び移動局通信装置２は、それぞれソフトウェア及びハードウェアを含む通信システム階層の階層構造をなしている。基地局通信装置１は、上位のアプリケーション層としてのＴＣＰ／ＩＰ通信を行うネットワーク層に相当するアプリケーション部１１１、１１２と、中間のアダプティブレイヤ層としてのアプリケーションサブレイヤ（ＡＳＬ）に相当するデータ処理部２１と、下位の通信層としてのＤＳＲＣを行う通信処理部３１と、最下位の物理層に相当する基地局アンテナ４１１を含む無線部４１とを有して構成される。同様に、移動局通信装置２は、アプリケーション部１２１、１２２と、データ処理部２２と、通信処理部３２と、移動局アンテナ４２１を含む無線部４２とを有して構成される。
【００３７】
ＤＳＲＣは、所定時間単位の１つの通信フレームを複数のスロットに時分割し、各スロットに所定量毎の分割した通信データを割り当てて送受信する同期式時分割通信を行うものである。上記のような通信システムにおいて、通信処理部３１、３２及び無線部４１、４２によってＤＳＲＣの双方向通信を行う場合、基地局通信装置１は、通信フレーム中の時分割された複数のスロットにおいて移動局通信装置２の割り当てを行い、任意の移動局通信装置２に対して自由にデータを送信することが可能である。また、基地局通信装置１は、移動局通信装置２に対して送信問い合わせメッセージ（以下、送信問い合わせ要求という）を送信し、この送信問い合わせ要求を受信した移動局通信装置２は、基地局通信装置１に対して応答メッセージ（以下、送信問い合わせ応答という）を送信する。この基地局通信装置１からの送信問い合わせ要求、及び移動局通信装置２からの送信問い合わせ応答は、それぞれ通常のデータ送信と同一のチャネルで行われる。
【００３８】
このとき、移動局通信装置２は、自装置に割り当てられたスロットでのみデータの送受信が可能であり、移動局通信装置２から基地局通信装置１へデータを送信する場合、基地局通信装置１からの送信問い合わせ要求を受信して送信問い合わせ応答を送信するタイミングにおいてのみ、この送信問い合わせ応答に付加して行うことができる。
【００３９】
このため、本実施形態では、データ処理部２１、２２によって、通信処理部３１、３２とアプリケーション部１１１、１１２、１２１、１２２との間の同期を適切にとることにより、アプリケーション部１１１、１１２、１２１、１２２におけるＴＣＰ／ＩＰ通信のスループットを向上させる。これにより、基地局通信装置１と移動局通信装置２との間でデータの送受信を効率良く実行可能にする。この結果、ネットワークに接続されたパーソナルコンピュータや携帯電話機、携帯情報端末等と同様に、移動局通信装置２上で動作するアプリケーションによって、基地局通信装置１に接続されたサーバ装置などにアクセスでき、各種情報の取得、提供が可能となる。
【００４０】
ここで、ＴＣＰ／ＩＰ通信によるデータ送受信の例を示す。図２はスライディングウィンドウ方式による通信手順を説明するための通信シーケンス図である。ＴＣＰ／ＩＰ通信では、スライディングウィンドウ方式によりデータ送信が行われる場合が多い。
【００４１】
スライディングウィンドウ方式では、１つの送信データに対して１つのＡＣＫ信号を受信することを繰り返す通常の通信方式とは異なり、サーバなどの送信側装置５１は、所定のウィンドウサイズの送信データ（ＴＣＰ−ＤＡＴＡ）を所定数（この例では４つ）ずつクライアントなどの受信側装置５２からＡＣＫ信号を受信することなく送信することができる。受信側装置５２は、４つの送信データを受信すると、正常に受信できたことを示す応答信号であるＡＣＫ信号（ＴＣＰ−ＡＣＫ）を送信側装置５１へ送信する。送信側装置５１は、受信側装置５２からのＡＣＫ信号を受信すると、次の所定単位の送信データ（ＴＣＰ−ＤＡＴＡ）を受信側装置５２へ送信することができる。このように、送信側装置５１から送信されるデータは時間的に一定ではなく、受信側装置５２からのＡＣＫ信号を受信した直後だけ送信される。
【００４２】
本実施形態では、このような非同期のＴＣＰ／ＩＰ通信をアプリケーション層において行う際に、中間のアダプティブレイヤ層によって、通信層におけるＤＳＲＣによる送信問い合わせ要求の送信タイミングを調整し、ＴＣＰ／ＩＰ通信とＤＳＲＣとの同期をとることにより、送信側装置５１と受信側装置５２との間で効率良くデータを送受信することが可能となる。上記送信問い合わせ要求の送信タイミングの調整について、以降で詳細に説明する。
【００４３】
図３は本発明の実施形態に係る基地局通信装置の主要な機能構成を示す図である。本実施形態の基地局通信装置１は、前述したように、ソフトウェア及びハードウェアを含む通信システム階層の階層構造をなしており、アプリケーション部１１１、１１２と、データ処理部２１と、通信処理部３１と、無線部４１とを有して構成される。
【００４４】
アプリケーション部１１１、１１２は、例えばネットワークに接続するためのブラウザ等のアプリケーションであり、コンピュータソフトウェアの動作による各種機能によって実現されるものである。このアプリケーション部１１１、１１２は、ＴＣＰ／ＩＰ通信によって移動局通信装置２等の他の装置との間でデータの送受信処理を実行する。
【００４５】
データ処理部２１は、上位のアプリケーション層下位の通信層との同期をとるためのもので、データ送受信部２１１、送信問い合わせ処理部２１２、アプリケーション部登録部２１３、アプリケーション部監視部２１４を含む。データ送受信部２１１は、アプリケーション部１１１、１１２と通信処理部３１との間でアプリケーションのファイルデータ等のＩＰパケットのデータ送受信を行う。
【００４６】
送信問い合わせ処理部２１２は、ＤＳＲＣにおいて用いる送信問い合わせ要求を、内蔵する待ち合わせタイマにセットした時間間隔で生成する。この送信問い合わせ要求は、移動局通信装置２に対して送信すべきデータがあるか否かを問い合わせるためのデータチェックの機能と、移動局通信装置２が自装置の通信エリア内にあるか否かを問い合わせるためのヘルスチェックの機能とを有している。アプリケーション部登録部２１３は、アプリケーション部１１１、１１２のうち使用するいずれかのアプリケーション部を登録するものである。アプリケーション部監視部２１４は、登録されたアプリケーション部によるアプリケーションの起動、終了、実行状況を監視するものである。
【００４７】
通信処理部３１は、ＤＳＲＣによって移動局通信装置２との間でデータの送受信処理を行うもので、送受信処理部３１１、移動局管理部３１２、データ処理部監視部３１３を含む。送受信処理部３１１は、移動局通信装置２との間で送受信する通信フレームのスロット割付や、データのパケット編成を行う。移動局管理部３１２は、送信問い合わせ要求に対する移動局通信装置２の応答状況により、自装置の通信エリアにある移動局通信装置２を把握し、通信相手となる移動局通信装置２を登録する。データ処理部監視部３１３は、通信相手の移動局通信装置２のデータ処理部２２の種別を把握し、データ処理部の機能の相違やデータ送受信処理の際に生じるエラーの発生を監視する。
【００４８】
無線部４１は、送受信する通信フレームの信号をＡＳＫ方式、ＱＰＳＫ方式等により変復調する変復調部４１３と、移動局通信装置２との間で無線通信を行う無線送受信部４１２と、無線通信信号を送受信する基地局アンテナ４１１とを有して構成される。
【００４９】
上記のように構成された本実施形態の基地局通信装置１の動作について説明する。図４及び図５は本実施形態の基地局通信装置における処理手順を説明するためのフローチャートである。
【００５０】
まず、基地局通信装置１を起動（ステップＳ１０１）し、アプリケーション部登録部２１３にアプリケーション部１１１、１１２のうち、使用するアプリケーション部を選択して登録する（ステップＳ１０２）。次いで、移動局通信装置２との通信を開始し、通信エリア内に通信可能な移動局通信装置２が存在する場合に、移動局管理部３１２において通信対象の移動局通信装置２を把握して登録する（ステップＳ１０３）。
【００５１】
そして、データ処理部監視部３１３において、通信相手の移動局通信装置２におけるデータ処理部２２の機能（対応する通信方式など）が自装置のデータ処理部２１と一致するか否かを判定する（ステップＳ１０４）。その結果、一致しない場合は移動局通信装置２との通信リンクを切断して処理を終了する（ステップＳ１０５）。
【００５２】
ステップＳ１０４において、通信相手の移動局通信装置２のデータ処理部２２が一致した場合は、その移動局通信装置２に対して送信問い合わせ要求を送信し（ステップＳ１０６）、移動局通信装置２からの送信問い合わせ応答を受信して（ステップＳ１０７）、送信問い合わせ応答にデータが付随しているか否かを判定する（ステップＳ１０８）。
【００５３】
ステップＳ１０８において、送信問い合わせ応答にデータが付随していた場合は、送信問い合わせ処理部２１２の待ち合わせタイマに待ち合わせ時間の最小値をセットする（ステップＳ１０９）。一方、送信問い合わせ応答にデータが付随していない場合は、待ち合わせタイマに前回セットした値以上の待ち合わせ時間をセットし（ステップＳ１１０）、セットした待ち合わせ時間の値が予め定めた最大値を超えているか否かを判定する（ステップＳ１１１）。ここで、セットした待ち合わせ時間が最大値を超えている場合は、待ち合わせタイマに待ち合わせ時間の最大値をセットし（ステップＳ１１２）、そうでない場合は、このステップＳ１１２をスキップする。
【００５４】
上記のように待ち合わせ時間をセットした後、待ち合わせタイマを起動し（ステップＳ１１３）、データ送受信部２１１に上位層のアプリケーション部１１１、１１２から移動局通信装置２へ送信するデータが到着しているか否かを判定する（ステップＳ１１４）。  ここで、移動局通信装置２へ送信するデータが到着していない場合は、待ち合わせタイマがタイムアウトしたか否かを判定し（ステップＳ１１５）、タイムアウトしていなければステップＳ１１４へ戻り、移動局通信装置２へ送信するデータの到着を監視する。
【００５５】
ステップＳ１１５で待ち合わせタイマがタイムアウトした場合は、移動局通信装置２との通信リンクを切断する判断をしたか否かを判定する（ステップＳ１１６）。ここで、通信リンクを切断する判断をしない場合は、移動局通信装置２に対してデータが付随しない送信問い合わせ要求を送信する（ステップＳ１１７）。その後、ステップＳ１０７の移動局通信装置２からの送信問い合わせ応答を受信する手順に戻り、同様の処理を繰り返す。  ステップＳ１１６で移動局通信装置２との通信リンクを切断する判断をした場合は、移動局通信装置２との通信リンクを切断して処理を終了する（ステップＳ１１８）。
【００５６】
また、ステップＳ１１４において、データ送受信部２１１に上位層のアプリケーション部１１１、１１２から移動局通信装置２へ送信するデータが到着している場合は、待ち合わせタイマを停止し、上位層からの送信データを付随した送信問い合わせ要求を移動局通信装置２へ送信する（ステップＳ１１９）。その後、ステップＳ１０７の移動局通信装置２からの送信問い合わせ応答を受信する手順に戻り、同様の処理を繰り返す。
【００５７】
このように、送信問い合わせ処理部２１２において待ち合わせタイマを設け、この待ち合わせタイマでカウントする送信問い合わせ要求の送信時間間隔に相当する待ち合わせ時間を可変的に設定することにより、移動局通信装置２からの送信問い合わせ応答に付随するデータの有無、基地局通信装置１から移動局通信装置２へ送信するデータの有無などに応じて、送信問い合わせ要求の送信タイミングを調整することができる。これにより、上位層のＴＣＰ／ＩＰ通信のデータ転送タイミングに関わらず、下位層のＤＳＲＣにおいて送信問い合わせ要求の送信を効率的に行うことができ、移動局通信装置２から基地局通信装置１へのデータ転送効率を向上できる。
【００５８】
次に、上記の処理手順によって送信問い合わせ要求の送信タイミングを調整する具体例をいくつか示す。図６は本実施形態の基地局通信装置と移動局通信装置との間における通信手順の第１実施形態を説明するための通信シーケンス図である。なお、図４及び図５のフローチャートにおけるステップと対応する手順については同一符号を付してある。
【００５９】
第１実施形態は、移動局通信装置２から送信問い合わせ応答とこれに付随するデータを受信し、これに続いて基地局通信装置１から移動局通信装置２へデータを送信する場合における、送信問い合わせ要求の送信タイミングの例である。
【００６０】
基地局通信装置１のデータ処理部２１は、移動局通信装置２のデータ処理部２２に対してデータを付加していない送信問い合わせ要求を送信する（ステップＳ１０６）。移動局通信装置２のデータ処理部２２は、この送信問い合わせ要求を受信したとき、上位層のアプリケーション部１２１、１２２から基地局通信装置１へ送信するデータＡが転送されている場合は、送信問い合わせ要求に対する送信問い合わせ応答にデータＡを付加し、データ付きの送信問い合わせ応答として送信する。
【００６１】
基地局通信装置１のデータ処理部２１は、データ付きの送信問い合わせ応答を受信すると（ステップＳ１０７）、待ち合わせタイマの待ち合わせ時間Ｔを最小値に設定して（ステップＳ１０９）、待ち合わせタイマを起動し、受信したデータＡを上位層のアプリケーション部１１１、１１２に転送する。このデータＡはアプリケーション部１１１、１１２において適宜処理される。そして、データ処理部２１は、上位層のアプリケーション部１１１、１１２から移動局通信装置２へ送信するデータＢを受け取る。
【００６２】
データ処理部２１は、上位層のアプリケーション部１１１、１１２から送信データを受け取るか、あるいは設定した待ち合わせ時間Ｔが経過して待ち合わせタイマがタイムアウトしたときに、送信問い合わせ要求にデータＢを付加し、データ付きの送信問い合わせ要求として移動局通信装置２のデータ処理部２２へ送信する（ステップＳ１１９）。移動局通信装置２では、データ処理部２２において送信問い合わせ要求とともに受信したデータＢを上位層のアプリケーション部１２１、１２２に転送する。このデータＢはアプリケーション部１２１、１２２において適宜処理される。これにより、移動局通信装置２と基地局通信装置１のアプリケーション部の間でＤＳＲＣを介して必要とするデータ転送を行うことができる。
【００６３】
待ち合わせタイマに設定する待ち合わせ時間Ｔの最小値は、基地局通信装置１の上位層のアプリケーション部１１１、１１２における処理時間、アプリケーション部１１１、１１２とデータ処理部２１との間の転送時間や遅延時間などを考慮して、適用する通信システムにおいて予め想定される経過時間分の適切な待ち時間を設定すればよい。また、これに限らず、アプリケーション部とデータ処理部との間の転送時間や遅延時間の増減等、通信状態の変化に応じて、待ち合わせ時間を可変的に設定するようにしてもよい。
【００６４】
この第１実施形態では、基地局通信装置１のデータ処理部２１において、移動局通信装置２より送信問い合わせ応答を受信してからこの移動局通信装置２に対して送信問い合わせ要求及びデータを送信するまでの待ち時間を、上位層との間で要する時間などに応じて適宜設定することで、送信問い合わせ要求を適切なタイミングで送信することができる。  これにより、不要な送信問い合わせ要求及び送信問い合わせ応答の送信を抑制でき、基地局通信装置１から移動局通信装置２へのデータ送信及び移動局通信装置２から基地局通信装置１へのデータ送信における転送効率を高めることができる。
【００６５】
図７は本実施形態の基地局通信装置と移動局通信装置との間における通信手順の第２実施形態を説明するための通信シーケンス図である。なお、図４及び図５のフローチャートにおけるステップと対応する手順については同一符号を付してある。
【００６６】
第２実施形態は、移動局通信装置２から送信問い合わせ応答とこれに付随するデータを受信した後、待ち合わせタイマの動作中に基地局通信装置１から移動局通信装置２へ送信するデータが無くてタイムアウトした場合における、送信問い合わせ要求の送信タイミングの例である。
【００６７】
基地局通信装置１のデータ処理部２１は、移動局通信装置２のデータ処理部２２に対してデータを付加していない送信問い合わせ要求を送信する（ステップＳ１０６）。移動局通信装置２のデータ処理部２２は、この送信問い合わせ要求を受信したとき、上位層のアプリケーション部１２１、１２２から基地局通信装置１へ送信するデータＡが転送されている場合は、送信問い合わせ要求に対する送信問い合わせ応答にデータＡを付加し、データ付きの送信問い合わせ応答として送信する。
【００６８】
基地局通信装置１のデータ処理部２１は、データ付きの送信問い合わせ応答を受信すると（ステップＳ１０７）、待ち合わせタイマの待ち合わせ時間Ｔを設定して（ステップＳ１０９）、待ち合わせタイマを起動し、受信したデータＡを上位層のアプリケーション部１１１、１１２に転送する。このデータＡはアプリケーション部１１１、１１２において適宜処理される。
【００６９】
その後、上位層のアプリケーション部１１１、１１２からの送信データが無く、データ処理部２１において、設定した待ち合わせ時間Ｔが経過して待ち合わせタイマがタイムアウトした場合、送信問い合わせ要求にデータを付加せず、データ無しの送信問い合わせ要求として移動局通信装置２のデータ処理部２２へ送信する（ステップＳ１１７）。移動局通信装置２では、データ処理部２２において送信問い合わせ要求を受信したときに、上位層のアプリケーション部１２１、１２２から基地局通信装置１へ送信するデータを受け取っていない場合は、送信データが無い旨を示す送信問い合わせ応答を基地局通信装置１に対して送信する。そして、基地局通信装置１のデータ処理部２１がこのデータ無しの送信問い合わせ応答を受信する（ステップＳ１０７）。ここで、基地局通信装置１のデータ処理部２１は、待ち合わせタイマがタイムアウトした後、データ無しの送信問い合わせ応答を受信した場合、待ち合わせタイマの待ち合わせ時間Ｔを前回の値よりも長くする（ステップＳ１１０）。
【００７０】
この第２実施形態では、基地局通信装置１のデータ処理部２１において、送信問い合わせ要求を送信する際の送信間隔を待ち合わせタイマの待ち合わせ時間Ｔによって設定し、送信するデータが無くて待ち合わせタイマがタイムアウトした場合に送信問い合わせ要求を送信することによって、送信データの有無に応じて適切なタイミングで移動局通信装置２へ送信問い合わせ要求を送信することができる。
【００７１】
図８は本実施形態の基地局通信装置と移動局通信装置との間における通信手順の第３実施形態を説明するための通信シーケンス図である。なお、図４及び図５のフローチャートにおけるステップと対応する手順については同一符号を付してある。
【００７２】
第３実施形態は、移動局通信装置２から送信問い合わせ応答とこれに付随するデータを受信した後、待ち合わせタイマの動作中に上位層から送信データを受け取った場合における、送信問い合わせ要求の送信タイミングの例である。
【００７３】
基地局通信装置１のデータ処理部２１は、移動局通信装置２のデータ処理部２２に対してデータを付加していない送信問い合わせ要求を送信する（ステップＳ１０６）。移動局通信装置２のデータ処理部２２は、この送信問い合わせ要求を受信したとき、上位層のアプリケーション部１２１、１２２から基地局通信装置１へ送信するデータＡが転送されている場合は、送信問い合わせ要求に対する送信問い合わせ応答にデータＡを付加し、データ付きの送信問い合わせ応答として送信する。
【００７４】
基地局通信装置１のデータ処理部２１は、データ付きの送信問い合わせ応答を受信すると（ステップＳ１０７）、待ち合わせタイマの待ち合わせ時間Ｔを設定して（ステップＳ１０９）、待ち合わせタイマを起動し、受信したデータＡを上位層のアプリケーション部１１１、１１２に転送する。このデータＡはアプリケーション部１１１、１１２において適宜処理される。
【００７５】
データ処理部２１は、待ち合わせタイマの動作中に上位層のアプリケーション部１１１、１１２から送信データを受け取ると、待ち合わせタイマを停止して待ち合わせ時間の計時を中止して、直ちに送信問い合わせ要求にデータＢを付加し、データ付きの送信問い合わせ要求として移動局通信装置２のデータ処理部２２へ送信する（ステップＳ１１９）。移動局通信装置２では、データ処理部２２において送信問い合わせ要求を受信したときに、上位層のアプリケーション部１２１、１２２から基地局通信装置１へ送信するデータを受け取っていない場合は、送信データが無い旨を示す送信問い合わせ応答を基地局通信装置１に対して送信する。そして、基地局通信装置１のデータ処理部２１がこのデータ無しの送信問い合わせ応答を受信する（ステップＳ１０７）。
【００７６】
この第３実施形態では、基地局通信装置１のデータ処理部２１において、上位層から移動局通信装置２への送信データを受信したタイミングで直ちに送信問い合わせ要求及びデータを送信することにより、送信データの有無に応じて送信問い合わせ要求を適切なタイミングで送信することができる。
【００７７】
図９は本実施形態の基地局通信装置と移動局通信装置との間における通信手順の第４実施形態を説明するための通信シーケンス図である。なお、図４及び図５のフローチャートにおけるステップと対応する手順については同一符号を付してある。
【００７８】
第４実施形態は、基地局通信装置１から移動局通信装置２へ送信するデータと移動局通信装置２から基地局通信装置１へ送信するデータとが共に無い場合における、送信問い合わせ要求の送信タイミングの例である。
【００７９】
基地局通信装置１は、送信データが無い場合であっても、通信規格で規定された時間間隔以内で適宜送信問い合わせ要求を移動局通信装置２に対して送信し、移動局通信装置２からの送信問い合わせ応答の有無によって自装置の通信エリア内に存在する通信可能な移動局通信装置２を把握するヘルスチェックの機能を有している。
【００８０】
基地局通信装置１のデータ処理部２１は、移動局通信装置２のデータ処理部２２に対してデータを付加していない送信問い合わせ要求を送信する（ステップＳ１０６）。移動局通信装置２のデータ処理部２２は、この送信問い合わせ要求を受信したとき、上位層のアプリケーション部１２１、１２２から基地局通信装置１へ送信するデータが無い場合は、送信問い合わせ要求に対する送信問い合わせ応答にデータを付加せず、データ無しの送信問い合わせ応答として送信する。
【００８１】
基地局通信装置１のデータ処理部２１は、データ無しの送信問い合わせ応答を受信すると（ステップＳ１０７）、待ち合わせタイマの待ち合わせ時間Ｔを設定して（ステップＳ１１０）、待ち合わせタイマを起動し、上位層のアプリケーション部１１１、１１２から送信データが到着するまで待機する。このとき、待ち合わせ時間Ｔは、前回設定した値以上の長い時間に設定する。
【００８２】
その後、上位層のアプリケーション部１１１、１１２からの送信データが無く、データ処理部２１において、設定した待ち合わせ時間Ｔが経過して待ち合わせタイマがタイムアウトした場合、送信問い合わせ要求にデータを付加せず、データ無しの送信問い合わせ要求として移動局通信装置２のデータ処理部２２へ送信する（ステップＳ１１７）。移動局通信装置２では、データ処理部２２において送信問い合わせ要求を受信したときに、上位層のアプリケーション部１２１、１２２からの送信データが無い場合は、データ無しの送信問い合わせ応答を基地局通信装置１へ送信する。そして、基地局通信装置１のデータ処理部２１がこのデータ無しの送信問い合わせ応答を受信する（ステップＳ１０７）。このような送信問い合わせ要求と送信問い合わせ応答のやり取りにより、自装置の通信エリア内に通信可能な移動局通信装置２が存在することを把握できる。
【００８３】
この第４実施形態では、基地局通信装置１のデータ処理部２１において、送信問い合わせ要求によるヘルスチェックを行う際に、送信するデータが無い場合は送信問い合わせ要求の送信間隔を長くすることによって、無駄な送信問い合わせ要求及び送信問い合わせ応答の送信を抑制できる。これにより、他の移動局通信装置に割り当て可能な通信帯域を広く確保でき、データ転送効率を向上することができる。特に、通信エリアに複数の移動局通信装置が存在する場合に、データの送受信を行っていない移動局通信装置が占有する通信帯域を抑制し、データの送受信を行っている移動局通信装置で利用可能な通信帯域を広げることができる。
【００８４】
図１０は本実施形態の基地局通信装置と移動局通信装置との間における通信手順の第５実施形態を説明するための通信シーケンス図である。なお、図４及び図５のフローチャートにおけるステップと対応する手順については同一符号を付してある。
【００８５】
第５実施形態は、基地局通信装置１から移動局通信装置２へ送信するデータや移動局通信装置２から基地局通信装置１へ送信するデータが無い場合における、送信問い合わせ要求の送信タイミングの例である。
【００８６】
基地局通信装置１のデータ処理部２１は、移動局通信装置２のデータ処理部２２に対してデータを付加していない送信問い合わせ要求を送信する（ステップＳ１０６）。移動局通信装置２のデータ処理部２２は、この送信問い合わせ要求を受信したとき、上位層のアプリケーション部１２１、１２２から基地局通信装置１へ送信するデータ無い場合は、送信問い合わせ要求に対する送信問い合わせ応答にデータを付加せず、データ無しの送信問い合わせ応答として送信する。
【００８７】
基地局通信装置１のデータ処理部２１は、データ無しの送信問い合わせ応答を受信すると（ステップＳ１０７）、初めは待ち合わせタイマに短い待ち合わせ時間Ｔ１を設定して（ステップＳ１１０）、待ち合わせタイマを起動し、上位層のアプリケーション部１１１、１１２から送信データが到着するまで待機する。
【００８８】
その後、上位層のアプリケーション部１１１、１１２からの送信データが無く、データ処理部２１において、設定した待ち合わせ時間Ｔ１が経過して待ち合わせタイマがタイムアウトした場合、このタイミングで、送信問い合わせ要求にデータを付加せず、データ無しの送信問い合わせ要求として移動局通信装置２のデータ処理部２２へ送信する（ステップＳ１１７）。移動局通信装置２では、データ処理部２２において送信問い合わせ要求を受信したときに、上位層のアプリケーション部１２１、１２２から基地局通信装置１へ送信するデータを受け取っていない場合は、送信データが無い旨を示す送信問い合わせ応答を基地局通信装置１へ返信する。そして、基地局通信装置１のデータ処理部２１がこのデータ無しの送信問い合わせ応答を受信する（ステップＳ１０７）。
【００８９】
基地局通信装置１のデータ処理部２１は、データ無しの送信問い合わせ応答を再度受信すると（ステップＳ１０７）、待ち合わせタイマに前回の待ち合わせ時間Ｔ１よりも長い待ち合わせ時間Ｔ２を設定して（ステップＳ１１０）、待ち合わせタイマを起動し、上位層のアプリケーション部１１１、１１２から送信データが到着するまで待機する。
【００９０】
さらにその後、上位層のアプリケーション部１１１、１１２からの送信データが無く、データ処理部２１において、設定した待ち合わせ時間Ｔ２が経過して待ち合わせタイマがタイムアウトした場合、このタイミングで再度データ無しの送信問い合わせ要求を移動局通信装置２へ送信する（ステップＳ１１７）。移動局通信装置２では、データ処理部２２において送信問い合わせ要求を受信したときに、上位層のアプリケーション部１２１、１２２からの送信データが無い場合は、データ無しの送信問い合わせ応答を基地局通信装置１へ返信する。そして、基地局通信装置１のデータ処理部２１がこのデータ無しの送信問い合わせ応答を受信する（ステップＳ１０７）。
【００９１】
以降、基地局通信装置１のデータ処理部２１または移動局通信装置２のデータ処理部２２のいずれかが上位層から送信データを受け取るまで、同様の処理を繰り返す。これにより、通信相手に送るべきデータが発生しない限り、待ち合わせタイマにセットする待ち合わせ時間を段階的に長くし、例えば、通信規格で規定された最大時間間隔まで、送信問い合わせ要求の送信間隔を延ばしていく。なお、送信問い合わせ要求の送信間隔の最大時間は、基地局通信装置の通信エリアの広さと移動局の移動速度などに基づいて設定してもよい。このように本実施形態では、送信問い合わせ要求の送信間隔を最小値（例えば１０ｍsec ）から最大値（例えば４ｍsec ）まで段階的に変化させることができる。
【００９２】
この第５実施形態では、基地局通信装置１のデータ処理部２１において、基地局通信装置１と移動局通信装置２との間で送受信するデータが無い場合に、送信問い合わせ要求の送信間隔を段階的に長くすることによって、装置間のデータ送受信の頻度や通信データ量など、通信状態に応じて適切なタイミングで送信問い合わせ要求を効率良く送信することができる。これにより、不要な送信問い合わせ要求及び送信問い合わせ応答の送信を抑制でき、他の移動局通信装置で利用可能な通信帯域を広げることができる。
【００９３】
また、基地局通信装置において上位層からのデータ転送頻度が上がったり、移動局通信装置から基地局通信装置へ連続して送信問い合わせ応答とともにデータが送られてきた場合など、送受信するデータ量が統計的に増加している場合は、上記の処理とは逆に、送信問い合わせ要求の送信間隔を段階的に短くすることも可能である。これにより、データ送信時のスループットを上昇させ、データ転送効率を向上できる。
【００９４】
上述したように、本実施形態によれば、上位層から移動局通信装置へ送信するデータの受信タイミングに合わせて適切に送信問い合わせ要求を送信することができ、無駄な待ち時間が生じることなく速やかにデータを送信できる。また、上位層からのデータ転送と送信問い合わせ要求の送信とのタイミングが合わずに不要な送信問い合わせ要求及び送信問い合わせ応答が発生してしまうことを削減できる。これらにより、無線通信手段としてＤＳＲＣを用いてＴＣＰ／ＩＰ等による通信を行う場合のデータ転送効率を向上させることができる。このとき、送信問い合わせ要求の送信間隔を、送信データの有無、送信データの連続性、送信データが転送される頻度、送信データのデータ量などに応じて、適切な時間を予め設定したり、状況に応じて設定を可変することによって、効率良く送信問い合わせ要求を送信できる。
【００９５】
また、上位層より送信データが転送されていない場合は、送信問い合わせ要求の送信間隔を長くすることによって、無駄な送信問い合わせ要求を削減できる。このため、基地局通信装置の通信エリアに複数の移動局通信装置がある場合に、データの送受信を行っていない移動局通信装置が占有する通信帯域を削減し、データの送受信を行っている移動局通信装置の通信帯域を広げてデータ転送効率を向上させることができる。
【００９６】
なお、アプリケーション層においてＴＣＰ／ＩＰ通信だけでなく、トランザクション型の非ＩＰ通信を行ったり、複数方式の通信アプリケーションが混在するような場合であっても、上述した実施形態を適用して送信問い合わせ要求の送信間隔を調整することによって、データ転送効率の向上などの同様の効果が得られる。
【産業上の利用可能性】
【００９７】
本発明は、基地局通信装置からの送信問い合わせ要求に対する送信問い合わせ応答にデータを付加する形で移動局通信装置から基地局通信装置へのデータ送信を行う通信システムにおいて、基地局通信装置から移動局通信装置に対する送信問い合わせ要求の送信を適切に行い、移動局通信装置から基地局通信装置へのデータ転送効率を向上させることが可能となる効果を有し、狭域通信による無線通信を用いてデータの送受信を行う基地局通信装置及び通信方法等に有用である。
【図面の簡単な説明】
【００９８】
【図１】本発明の実施形態に係る通信システムの概略構成を示す図
【図２】スライディングウィンドウ方式による通信手順を説明するための通信シーケンス図
【図３】本発明の実施形態に係る基地局通信装置の主要な機能構成を示す図
【図４】本実施形態の基地局通信装置における処理手順を説明するためのフローチャート
【図５】本実施形態の基地局通信装置における処理手順を説明するためのフローチャート
【図６】本実施形態の基地局通信装置と移動局通信装置との間における通信手順の第１実施形態を説明するための通信シーケンス図
【図７】本実施形態の基地局通信装置と移動局通信装置との間における通信手順の第２実施形態を説明するための通信シーケンス図
【図８】本実施形態の基地局通信装置と移動局通信装置との間における通信手順の第３実施形態を説明するための通信シーケンス図
【図９】本実施形態の基地局通信装置と移動局通信装置との間における通信手順の第４実施形態を説明するための通信シーケンス図
【図１０】本実施形態の基地局通信装置と移動局通信装置との間における通信手順の第５実施形態を説明するための通信シーケンス図
【符号の説明】
【００９９】
１  基地局通信装置
２  移動局通信装置
１１１、１１２、１２１、１２２  アプリケーション部
２１、２２  データ処理部
３１、３２  通信処理部
４１、４２  無線部
２１１  データ送受信部
２１２  送信問い合わせ処理部
２１３  アプリケーション部登録部
２１４  アプリケーション部監視部
３１１  送受信処理部
３１２  移動局管理部
３１３  データ処理部監視部
【図１】
2005176227.tif 000003
【図２】
2005176227.tif 000004
【図３】
2005176227.tif 000005
【図４】
2005176227.tif 000006
【図５】
2005176227.tif 000007
【図６】
2005176227.tif 000008
【図７】
2005176227.tif 000009
【図８】
2005176227.tif 000010
【図９】
2005176227.tif 000011
【図１０】
2005176227.tif 000012